(57)【特許請求の範囲】
【請求項１】
回路遮断機上に設置される遮断機トリップボタンを操作する回路遮断機用外部操作ハンドルのトリップボタン装置であって、
前記外部操作ハンドルのアウトケーシングに備えられ、前記アウトケーシングに形成される貫通孔を介して外部と連通するボタン支持部と、
前記貫通孔を介して露出する操作部、及び前記操作部と一体に成形され前記ボタン支持部に沿って移動して前記遮断機トリップボタンを選択的に押す押し部を備える外部操作トリップボタンと、
前記外部操作トリップボタンが前記遮断機トリップボタンを押す方向と反対方向への弾性力を前記外部操作トリップボタンに付与する弾性部材と、
を備え、
前記ボタン支持部の内部には、
前記操作部が位置し、前記貫通孔を介して前記アウトケーシングの外部と連通する第１空間と、
前記第１空間と上下に連通し、前記ボタン支持部の互いに対向する２個の面に備えられる開口部を介して前記アウトケーシングの内部と連通し、前記押し部の一部が位置する第２空間と、
が備えられることを特徴とする回路遮断機用外部操作ハンドルのトリップボタン装置。
【請求項２】
前記ボタン支持部は、前記外部操作トリップボタン及び弾性部材の設置のために対向する２個の面に開口部が形成される中空の多面体状に形成され、
前記弾性部材の両端部は、前記ボタン支持部及び外部操作トリップボタンにそれぞれ支持され、
前記開口部は、前記ボタン支持部に設置される前記外部操作トリップボタンによって遮蔽される請求項１に記載の回路遮断機用外部操作ハンドルのトリップボタン装置。
【請求項３】
前記ボタン支持部及び外部操作トリップボタンには、前記弾性部材の両端にそれぞれ挿入される弾性部材支持部が備えられる請求項２に記載の回路遮断機用外部操作ハンドルのトリップボタン装置。
【請求項４】
前記外部操作トリップボタン及び弾性部材は、前記開口部を介して前記ボタン支持部に設置され、
前記外部操作トリップボタン及び弾性部材が前記ボタン支持部に設置されると、前記開口部は、前記外部操作トリップボタンの押し部によって遮蔽される請求項１に記載の回路遮断機用外部操作ハンドルのトリップボタン装置。
【請求項５】
前記第１空間の横断面は、前記第２空間の横断面に比べて相対的に小さな大きさに形成される請求項１に記載の回路遮断機用外部操作ハンドルのトリップボタン装置。
【請求項６】
前記押し部は、
前記操作部の底面から延びる延長部と、
前記延長部の下端から延び、前記遮断機トリップボタンを押す押しパートと、
を備える請求項１に記載の回路遮断機用外部操作ハンドルのトリップボタン装置。
【請求項７】
前記外部操作トリップボタン及び弾性部材の設置のために、前記ボタン支持部の互いに対向する２個の面に形成される開口部は、前記延長部によって遮断される請求項６に記載の回路遮断機用外部操作ハンドルのトリップボタン装置。
【請求項８】
前記押し部の横断面は、前記操作部の横断面に比べて相対的に大きな大きさに形成される請求項６に記載の回路遮断機用外部操作ハンドルのトリップボタン装置。
【請求項９】
前記操作部及び押し部の間には、前記貫通孔を介した前記操作部の脱去を防止する第１ストッパーが備えられる請求項６〜８のいずれか一項に記載の回路遮断機用外部操作ハンドルのトリップボタン装置。
【請求項１０】
前記延長部の外側面には、前記開口部の上端に選択的に接触されて前記外部操作トリップボタンの移動を規制する第２ストッパーが備えられる請求項９に記載の回路遮断機用外部操作ハンドルのトリップボタン装置。
【発明の詳細な説明】
【技術分野】
【０００１】
本発明は、回路遮断機用外部操作ハンドルのトリップボタン装置に関する。
【背景技術】
【０００２】
回路遮断機は、配電盤のような函体内に内蔵されて設置されることができる。このような場合には、函体の外部で回路遮断機を開閉操作するための外部操作ハンドルと結合されて使用されることができる。
【０００３】
以下、従来の技術による回路遮断機用外部操作ハンドルのトリップボタン装置について、添付された図面を参照して説明する。
【０００４】
図１は、一般的な３相交流用回路遮断機（配線用遮断機）の外形を示した斜視図であり、図２は、従来の技術による外部操作ハンドル装置の外形を示した斜視図であり、図３は、従来の技術による外部操作ハンドル装置の組み立て状態を示した斜視図であり、図４は、従来の技術による外部操作ハンドル装置の組み立て状態を示した平面図であり、図５は、従来の技術による押し板、弾性部材及びトリップボタンの組立体と該当組立体が外部操作ハンドル装置のアウトケースに組み立てられる状態を示した斜視図であり、図６は、従来の技術による外部ハンドルトリップボタンの結合構造を示した外部操作トリップボタンを示した斜視図であり、図７は、従来の技術による押し板と弾性部材及びトリップボタンの組み立て方法を示した分解斜視図であり、図８は、従来の技術による押し板の圧入突起部の形状を拡大して示した部分拡大図である。
【０００５】
まず、図１に示すように、回路遮断機１０は、ケーシング１０ａとカバー１０ｂとを備える。前記ケーシング１０ａは、一面の開放される多面体状に形成される。前記ケーシング１０ａの内部には、回路遮断機の構成部品が収容される。前記カバー１０ｂは、前記ケーシング１０ａの開放された一面を遮蔽する。
【０００６】
前記カバー１０ｂには、回路を開閉操作するための操作ハンドル１２が備えられる。前記操作ハンドル１２は、ユーザが手動で操作するためのものである。前記カバー１０ｂの一方には、遮断機トリップボタン１１が備えられる。前記遮断機トリップボタン１１は、回路遮断機を強制トリップ（ｔｒｉｐ）動作させるための遮断機トリップボタン１１である。前記カバー１０ｂの長さ方向上の両端部側には、それぞれ後述する外部操作ハンドル装置を結合するための結合ねじ孔１０ｂ−１が一対ずつ備えられる。
【０００７】
外部操作ハンドルアセンブリ２０は、アウトケーシング２３、外部操作ハンドル２２及び外部操作トリップボタン３０を備える。前記アウトケーシング２３は、外観を形成する。そして、前記外部操作ハンドル２２は、前記アウトケーシング２３の一面に回転操作可能に設置される。前記外部操作トリップボタン３０は、前記アウトケーシング２３上の一面に押し操作可能に設置される。例えば、前記外部操作ハンドル２２は、連動接続装置（図示せず）によって前記操作ハンドル１２（図１参照）に接続されうる。
【０００８】
図５ないし図８に示すように、図５の外部操作トリップボタン３０は、後述する部品によって前記遮断機トリップボタン１１（図１参照）に接触できる。したがって、前記外部操作トリップボタン３０によって配電盤のような函体の外部で前記回路遮断機１０に対した強制トリップ操作が可能になる。
【０００９】
まず、前記アウトケーシング２３の長さ方向の両端部面には、一対の延長ねじ接続部２４がそれぞれ備えられる。前記延長ねじ接続部２４は、回路遮断機との結合のために、前記アウトケーシング２３の両端部面から延長突出する。
【００１０】
次に、図３及び図４に示すように、前記アウトケーシング２３は、延長ねじ接続部２４に締結されるねじによって前記カバー１０ｂに固定される。そして示していないが、前記アウトケーシング２３は、前記配電盤の函体の内部に設置され、前記外部操作ハンドル２２は、前記配電盤の函体の外部に設置される。
【００１１】
以下、従来の技術による回路遮断機の外部操作ハンドルのトリップボタン装置について詳細な構成、組み立て及び作用を説明する。
【００１２】
図７に示すように、外部操作ハンドルのトリップボタン装置は、ボタン支持部２５、外部操作トリップボタン３０、押し板４０及び弾性部材５０を備える。
【００１３】
前記ボタン支持部２５は、前記アウトケーシング２３の上部面から下方に延びる。ボタン支持部２５には, 前記押し板４０、前記弾性部材５０及びトリップボタン３０が位置する。このために、前記ボタン支持部２５は、前記アウトケーシング２３の上部面から下方に横断面が円状に延長形成される円状延長溝部２６、及び前記円状延長溝部２６から下方に延長形成されるスリット延長溝部２７を備える。前記スリット延長溝部２７は、前記外部操作げっぷボタン３０は通過せず、前記押し板４０のみが通過されるように前記延長溝部２６に比べて相対的に狭い横断面を有する。
【００１４】
図６に示すように、前記外部操作トリップボタン３０は、略円筒状に成形される。そして、前記外部操作トリップボタン３０の底面には、前記押し板４０との接続のための十字形の接続溝部３１が備えられる。
【００１５】
また、図７及び図８に示すように、前記押し板４０は、前記ボタン支持部２５のスリット延長溝部２７に挿入可能な薄い板材から形成されることができる。前記押し板４０は、上部垂直板部４１、中間傾斜延長板部４２、及び下部フック部４３を備える。
【００１６】
前記上部垂直板部４１は、前記スリット延長溝部２７を貫通して設置される。そして、前記上部垂直板部４１の上端には、前記外部操作トリップボタン３０の接続溝部３１に挿入される圧入突起部４４が備えられる。前記中間傾斜延長板部４２は、前記上部垂直板部４１の下端から予め設定された角度で傾斜するように延びる。そして、前記下部フック部４３は、前記中間傾斜延長板部４２の下端から下方に延びる。前記下部フック部４３は、実質的に前記遮断機トリップボタン１１を操作するところである。前記弾性部材５０は、前記円状延長溝部２６の内部に挿入される。例えば、前記弾性部材５０としては、コイルスプリングが使用されうる。
【００１７】
従来の技術による回路遮断機外部操作ハンドルのトリップボタン装置の組み立て方法を説明する。
【００１８】
まず、前記アウトケース２３の上部面から下方に延長形成された円状延長溝部２６内に弾性部材５０を挿入して設置する。次に、前記外部操作トリップボタン３０を下方へ移動させて、前記円状延長溝部２６の内部に挿入する。そして、これと同時に前記押し板４０、実質的に前記上部垂直板部４１を上方へ移動させて、前記スリット延長溝部２７に挿入する。
【００１９】
そして、前記上部垂直板部４１が前記接続溝部３１の内部に挿入されると、前記押し板４０、弾性部材５０及び外部操作トリップボタン３０の組み立てが完了する。
【００２０】
従来の技術による回路遮断機外部操作ハンドルのトリップボタン装置の動作を説明する。
【００２１】
まず、配電盤内に収納された回路遮断機を従来の技術による回路遮断機外部操作ハンドルのトリップボタン装置を利用して強制トリップさせるために、ユーザが前記外部操作トリップボタン３０を押す。したがって、前記外部操作トリップボタン３０が前記弾性部材５０の弾性力を克服しながら下方へ移動する。そして、前記外部操作トリップボタン３０が下方へ移動すると、これに結合された前記押し板４０も下方へ移動する。したがって、前記下部フック部４３が遮断機トリップボタン１１を押すようになる。そして、前記トリップボタン１１によって回路遮断機１０の内部開閉機構器具（図示せず）がトリップ位置に動作し、回路は遮断される。
【発明の概要】
【発明が解決しようとする課題】
【００２２】
しかしながら、上述したような従来の技術による回路遮断機外部操作ハンドルのトリップボタン装置には、以下のような問題点が発生する。
【００２３】
まず、従来では、前記押し板４０と外部操作トリップボタン３０との間に作用する前記弾性部材５０の弾性力によって、組み立て過程または使用中に前記押し板４０及びトリップボタン３０が互いに離脱する恐れが生じる。
【００２４】
また、従来では、回路遮断機外部操作ハンドルが前記ボタン支持部２５、外部操作トリップボタン３０、押し板４０及び弾性部材５０のように多数の部品から構成される。そのため、製造原価が上昇して組み立て生産性が低下できる。
【００２５】
そこで、本発明は、上述した従来の技術の問題点を解消するためのものであって、本発明の目的は、組み立て便宜性及び動作信頼性が向上し、さらに簡単に構成される回路遮断機外部操作ハンドルのトリップボタン装置を提供することにある。
【課題を解決するための手段】
【００２６】
本発明の目的を達成すべく、本発明の実施の形態の一様態は、回路遮断機上に設置される遮断機トリップボタンを操作する回路遮断機用外部操作ハンドルのトリップボタン装置であって、前記外部操作ハンドルのアウトケーシングに備えられ、前記アウトケーシングに形成される貫通孔を介して外部と連通するボタン支持部と、前記貫通孔を介して露出する操作部、及び前記操作部と一体に成形され前記ボタン支持部に沿って移動して前記遮断機トリップボタンを選択的に押す押し部を備える外部操作トリップボタンと、前記外部操作トリップボタンが前記遮断機トリップボタンを押す方向と反対方向への弾性力を前記外部操作トリップボタンに付与する弾性部材と、を備える。
【発明の効果】
【００２７】
本発明による回路遮断機外部操作ハンドルのトリップボタン装置の実施の形態によれば、ユーザの操作のための操作部及び遮断機トリップボタンを動作させる押し部が一体に成形される。したがって、組立過程での容易性及び動作過程での信頼性を確保することができる。また、実質的な構成部品の個数が減少することによって、製品の生産性の増進及び原価の減少を期待できる。
【図面の簡単な説明】
【００２８】
【図１】一般的な３相交流用回路遮断機（配線用遮断機）の外形を示した斜視図である。
【図２】従来の技術による外部操作ハンドル装置の外形を示した斜視図である。
【図３】従来の技術による外部操作ハンドル装置の組み立て状態を示した斜視図である。
【図４】従来の技術による外部操作ハンドル装置の組み立て状態を示した平面図である。
【図５】従来の技術による押し板、弾性部材及びトリップボタンの組立体と該当組立体とが外部操作ハンドル装置のアウトケーシングに組み立てられる状態を示した斜視図である。
【図６】従来の技術による外部ハンドルトリップボタンの結合構造を示した外部操作トリップボタンを示した斜視図である。
【図７】従来の技術による押し板、弾性部材及びトリップボタンの組み立て方法を示した分解斜視図である。
【図８】従来の技術による押し板の圧入突起部の形状を拡大して示した部分拡大図である。
【図９】本発明の実施の形態による回路遮断機用外部操作ハンドルのトリップボタン装置の組み立て状態を示した斜視図である。
【図１０】本発明の実施の形態を構成するアウトケーシングの要部を示した底面斜視図である。
【図１１】本発明の実施の形態を構成するアウトケーシングの要部を示した斜視図である。
【図１２】本発明の実施の形態を構成する外部操作トリップボタンを示した斜視図である。
【図１３】本発明の実施の形態によるトリップボタン装置の組立過程を示した斜視図である。
【図１４】本発明の実施の形態によるトリップボタン装置の組立過程を示した斜視図である。
【図１５】本発明の実施の形態によるトリップボタン装置の組立過程を示した斜視図である。
【発明を実施するための形態】
【００２９】
以下、本発明による回路遮断用機外部操作ハンドルのトリップボタン装置の実施の形態を添付された図面を参照してさらに詳細に説明する。
【００３０】
図９は、本発明の実施の形態による回路遮断機用外部操作ハンドルのトリップボタン装置の組み立て状態を示した斜視図であり、図１０は、本発明の実施の形態を構成するアウトケーシングの要部を示した底面斜視図であり、図１１は、本発明の実施の形態を構成するアウトケーシングの要部を示した斜視図であり、図１２は、本発明の実施の形態を構成する外部操作トリップボタンを示した斜視図である。
【００３１】
まず、図９に示すように、外部操作ハンドルアセンブリ２００の外観をアウトケーシング２１０が形成する。前記外部操作ハンドルアセンブリ２００には、遮断機トリップボタン１1（図１参照）を外部で操作するためのトリップボタン装置が備えられる。本実施の形態によるトリップボタン装置は、ボタン支持部２２０、外部操作トリップボタン２３０、及び弾性部材２４０を備える。
【００３２】
図９ないし図１１に示すように、前記ボタン支持部２２０は、前記アウトケーシング２１０の上部面２１１から前記アウトケーシング２１０の内部、すなわち下方に延長形成される。前記ボタン支持部２２０は、中空の多面体状に形成されることができる。本実施の形態では、前記ボタン支持部２２０が略中空の四角柱状に形成されると限定されたが、前記ボタン支持部２２０の形状は、これに限定されない。前記外部操作トリップボタン２３０を上下に移動可能に支持する役割を果たす。
【００３３】
前記ボタン支持部２２０の上面は、前記アウトケーシング２１０の上面部２１１に形成される貫通孔２１２と連通する。また、前記ボタン支持部２２０の互いに対向する２個の面には、それぞれ開口部２２１が形成される。前記開口部２２１は、前記外部操作トリップボタン２３０及び弾性部材２４０の設置のためのものである。
【００３４】
そして、前記ボタン支持部２２０の内部には、第１空間２２３及び第２空間２２５が備えられる。前記第１空間２２３及び第２空間２２５は、上下に互いに連通する。さらに詳細には、前記第１空間２２３は、前記貫通孔２１２を介して前記アウトケーシング２１０の外部と連通する。前記第１空間２２３の横断面は、前記貫通孔２１２と同じ形状及び大きさに形成されることができる。前記第１空間２２３は、前記外部操作トリップボタン２３０の一部（後述する操作部２３１）が位置する所である。前記第２空間２２５の上端は、前記第１空間２２３の下端と連通する。また前記第２空間２２５の両側は、前記開口部２２１を介して前記前記アウトケーシング２１０の内部と連通する。前記第２空間２２５は、前記外部操作トリップボタン２３０の残り（後述する押し部２３３の一部）及び弾性部材２４０が位置する所である。本実施の形態では、前記第１空間２２３の横断面が前記第２空間２２５の横断面に比べて相対的に小さく形成される。
【００３５】
また、前記ボタン支持部２２０には、第１弾性部材支持部２２７（ｆｉｒｓｔ  ｓｕｐｐｏｒｔｉｎｇ  ｐａｒｔ）が備えられる。前記第１弾性部材支持部２２７は、前記第２空間２２５の内部に位置する前記弾性部材２４０の下端を支持する役割を果たす。実質的に前記第１弾性部材支持部２２７は、前記第２空間２２５の底面に該当する前記ボタン支持部２２０の内部に位置する。
【００３６】
一方、前記外部操作トリップボタン２３０は、前記ボタン支持部２２０に沿って上下に移動可能に設置される。図１２に示すように、前記外部操作トリップボタン２３０は、操作部２３１（ｈａｎｄｌｅ）及び押し部２３３（ｐｕｓｈｅｒ）を備える。本実施の形態では、前記操作部２３１及び押し部２３３が一体に成形される。さらに詳細には、前記操作部２３１は、ユーザが前記外部操作トリップボタン２３０を操作するために加圧する部分である。前記操作部２３１は、前記第１空間２２３の内部に位置する。そして前記操作部２３１の上面は、前記アウトケーシング２１０の上面部２１１、実質的に前記貫通孔２１２を介して外部に露出する。例えば、前記操作部２３１は、その上面が前記アウトケーシング２１０の上面部２１１と同じ平面上または前記アウトケーシング２１０の上面部２１１に対して下方に位置できる。これは、ユーザの意図とは無関係に前記操作部２３１が加圧されることを防止するためである。もちろん、前記操作部２３１の一部が前記貫通孔２１２を貫通して、前記アウトケーシング２１０の上面部２１１の上方に位置しうる。前記操作部２３１の横断面は、前記貫通孔２１２及び第１空間２２３の横断面と同一またはそれ以下の大きさに設定されることが好ましい。
【００３７】
前記操作部２３１の下端には、第１ストッパー２３２（ｆｉｒｓｔ  ｓｔｏｐｐｉｎｇ  ｐａｒｔ）が備えられる。前記第１ストッパー２３２は、前記外部操作トリップボタン２３０の移動を規制する役割を果たす。実質的に前記第１ストッパー２３２によって前記操作部２３１が前記貫通孔２１２を介して前記アウトケーシング２１０の外部に完全に脱去される現象が防止できる。このために、前記第１ストッパー２３２は、少なくとも前記貫通孔２１２及び第１空間２２３の横断面を超える大きさを有する板状に形成される。
【００３８】
そして、前記押し部２３３は、実質的に前記遮断機トリップボタン１１を押して動作させる部分である。このために、前記押し部２３３は、前記第２空間２２５に位置した状態で、前記ボタン支持部２２０に沿って上下に移動する。前記押し部２３３は、延長部２３４（ｅｘｔｅｎｓｉｏｎ  ｐａｒｔ）、押しパート２３５（ｐｕｓｈｉｎｇ  ｐａｒｔ）、第２弾性部材支持部２３６（ｓｅｃｏｎｄ  ｓｕｐｐｏｒｔｉｎｇ  ｐａｒｔ）、及び第２ストッパー２３７（ｓｅｃｏｎｄ  ｓｔｏｐｐｉｎｇ  ｐａｒｔ）を備える。
【００３９】
前記延長部２３４は、前記操作部２３１、実質的に前記第１ストッパー２３２の下端から下方へ延びる。本実施の形態では、前記延長部２３４が、左右に離隔するように位置する２個で構成される。実質的に前記延長部２３４は、前記開口部２２１を遮蔽するように位置する。これは、前記弾性部材２４０が前記第２空間２２５の外部に脱去されることを防止するためである。
【００４０】
前記押しパート２３５は、前記延長部２３４のうち、いずれか一つの下端に備えられる。前記押しパート２３５は、実質的に前記遮断機トリップボタン１１を押す部分である。前記押しパート２３５は、前記第２空間２２５の外部に位置する。本実施の形態では、前記押しパート２３５が略下方に向けるＬ字状に形成される。しかしながら、前記押しパート２３５の形状は、これに限定されない。
【００４１】
前記第２ストッパー２３７は、前記押し部２３３の移動を規制する役割を果たす。前記第２ストッパー２３７は、前記延長部２３４の外側面から外側へ延びる。したがって、前記第２ストッパー２３７も前記第２空間２２５の外部に位置する。そして、前記第２ストッパー２３７は、前記外部操作トリップボタン２３０が前記ボタン支持部２２０に沿って上方へ移動すると、前記開口部２２１の上端に接触される。しかしながら、実質的に前記第２ストッパー２３７は、前記延長部２３４を補強する役割も行う。したがって、前記第２ストッパー２３７は、補強部（ｒｅｉｎｆｏｒｃｅｄ  ｐａｒｔ）と命名される。
【００４２】
前記第２弾性部材支持部２３６は、前記弾性部材２４０の他端を支持する役割を果たす。前記第２弾性部材支持部２３６は、前記第１ストッパー２３２の底面から下方へ延びる。したがって、前記外部操作トリップボタン２３０が前記第２空間２２５の内部に位置すると、前記第１及び第２弾性部材支持部２２７、２３６が互いに対向して位置する。
【００４３】
一方、前記押し部２３３には、第１及び第２補強部２３８、２３９がさらに備えられる。前記第１及び第２補強部２３８、２３９は、前記押し部２３３の強度を補強する役割を果たす。前記第１及び第２補強部２３８、２３９は、相対的に脆弱な部分、例えば、前記延長部２３４のうちの何れか一つと前記押し部２３３の連結部分、及び前記押しパート２３５のバンディングする部分にそれぞれ位置できる。
【００４４】
前記弾性部材２４０は、前記外部操作トリップボタン２３０が前記遮断機トリップボタン１１を操作する方向の反対方向への弾性力を付与する。すなわち、前記弾性部材２４０の弾性力によって前記外部操作トリップボタン２３０は、前記ボタン支持部２２０に対して上方へ移動するようになる。前記弾性部材２４０には、例えば、コイルスプリングが使用されることができる。そして、前記弾性部材２４０の両端は、それぞれ前記ボタン支持部２２０及び外部操作トリップボタン２３０にそれぞれ支持される。さらに詳細には、前記弾性部材２４０の両端にそれぞれ第１及び第２弾性部材支持部２２７、２３６が挿入される。
【００４５】
以下、本発明の実施の形態による回路遮断機用外部操作ハンドルのトリップボタン装置を組み立てる過程を、添付された図面を参照してさらに詳細に説明する。
【００４６】
図１３ないし図１５は、本発明の実施の形態によるトリップボタン装置の組立過程を示した斜視図である。
【００４７】
まず、外部操作トリップボタン２３０と弾性部材２４０とを結合する。実質的に前記弾性部材２４０の一端に第２弾性部材支持部２３６を挿入する。
【００４８】
次に、図１３に示すように、前記外部操作トリップボタン２３０及び弾性部材２４０がボタン支持部２２０を貫通するように位置させる。実質的に、前記外部操作トリップボタン２３０及び弾性部材２４０は、開口部２２１を貫通して前記ボタン支持部２２０に対して予め設定された角度で傾斜するように位置する。このとき、実質的に前記外部操作トリップボタン２３０の一部、すなわち操作部２３１及び押しパート２３５は、前記開口部２２１を介して第２空間２２５の外部に位置する。そして、前記外部操作トリップボタン２３０の残りは、前記第２空間２２５の内部に位置する。また、前記外部操作トリップボタン２３０及び弾性部材２４０が移動する過程で、前記弾性部材２４０の他端に第１弾性部材支持部２２７が挿入されるようにする。
【００４９】
そして、図１４に示すように、前記弾性部材２４０が圧縮される方向に前記外部操作トリップボタン２３０を移動させる。このような前記外部操作トリップボタン２３０の移動によって、前記操作部２３１が前記ボタン支持部２２０の開口された一面と同じ高さに位置すると、前記外部操作トリップボタン２３０を回動させて、前記操作部２３１が前記第２空間２２５の内部に位置するようにする。好ましくは、前記操作部２３１が第１空間２２３の直下方に位置するようにする。
【００５０】
最後に、図１５に示すように、前記外部操作トリップボタン２３０に作用する外力を除去すると、前記弾性部材２４０の弾性力によって前記外部操作トリップボタン２３０が前記ボタン支持部２２０に沿って上方へ移動する。すなわち、前記操作部２３１が前記第１空間２２３の内部に位置しながら前記第１空間２２３に沿って上方へ移動する。このような前記操作部２３１の移動は、第１及び第２ストッパー２３２、２３７が前記第２空間２２５の上面または前記開口部２２１の上端に接触されるまで続く。そして、前記操作部２３１の上面は、前記貫通孔２１２を介して外部に露出する。
【００５１】
一方、前記外部操作トリップボタン２３０が前記ボタン支持部２２０に設置された状態で、前記開口部２２１は、実質的に前記外部操作トリップボタン２３０の延長部２３４によって遮蔽される。したがって、前記外部操作トリップボタン２３０を設置する過程で前記弾性部材２４０が前記ボタン支持部２２０の外部に脱去される現象が防止されうる。
【００５２】
以下、本発明による回路遮断機用外部操作ハンドルのトリップボタン装置の実施の形態の動作をさらに詳細に説明する。
【００５３】
まず回路遮断機を強制的にトリップするために、外部操作トリップボタン２３０、実質的に操作部２３１を加圧すると、前記外部操作トリップボタン２３０がボタン支持部２２０に沿って下方へ移動する。このとき、前記外部操作トリップボタン２３０を押す力は、少なくとも弾性部材２４０の弾性力を超えなければならない。
【００５４】
このように前記外部操作トリップボタン２３０が前記ボタン支持部２２０に沿って下方へ移動すると、前記外部操作トリップボタン２３０、実質的に押し部２３３によって遮断機トリップボタン１１が押される。そして、前記遮断機トリップボタン１１が押されると、回路遮断機１０の内部の開閉器具（図示せず）が動作し、これによって可動接触子（図示せず）が固定接触子（図示せず）から分離されることによって、回路が遮断される強制トリップ動作がなされる。
【００５５】
ところが、上述したように、前記ボタン支持部２２０の開口部２２１は、前記外部操作トリップボタン２３０の延長部２３４によって遮蔽される。したがって、ユーザが前記外部操作トリップボタン２３０を使用する過程で前記弾性部材２４０が前記ボタン支持部２２０の外部に脱去される現象が防止できる。このような本発明の基本的な技術的思想の範ちゅう内で当業界の通常の知識を有した者においては、他の様々な変形が可能であることはもちろんで、本発明の権利範囲は、添付した特許請求の範囲に基づいて解析されねばならない。
【００５６】
上述した実施の形態では、前記外部操作トリップボタンの移動を規制するために、前記第１及び第２ストッパーが備えられることと説明された。しかし、前記第１及び第２ストッパーのうちの何れか一つのみが備えられても良い。
【符号の説明】
【００５７】
１１    遮断機トリップボタン
２００    外部操作ハンドルアセンブリ
２１０    アウトケーシング
２１１    上部面
２１２    貫通孔
２２０    ボタン支持部
２２１    開口部
２２３    第１空間
２２５    第２空間
２２７    第１弾性部材支持部
２３０    外部操作トリップボタン
２３１    操作部
２３２    第１ストッパー
２３３    押し部
２３４    延長部
２３５    押しパート
２３６    第２弾性部材支持部
２３７    第２ストッパー
２３８    第１補強部
２３９    第２補強部
２４０    弾性部材
【図１】
0005291167.tif 000002
【図２】
0005291167.tif 000003
【図３】
0005291167.tif 000004
【図４】
0005291167.tif 000005
【図５】
0005291167.tif 000006
【図６】
0005291167.tif 000007
【図７】
0005291167.tif 000008
【図８】
0005291167.tif 000009
【図９】
0005291167.tif 000010
【図１０】
0005291167.tif 000011
【図１１】
0005291167.tif 000012
【図１２】
0005291167.tif 000013
【図１３】
0005291167.tif 000014
【図１４】
0005291167.tif 000015
【図１５】
0005291167.tif 000016